(57)【要約】【課題】部分表示を行う場合における消費電力が低減された液晶表示装置を提供する。【解決手段】液晶表示パネル１の対向基板４に複数の共通電極９が形成される。液晶表示パネル１の表示領域は、複数の共通電極９にそれぞれに対応する複数の区画に区分される。液晶ドライバＩＣ２は、該表示領域の複数の区画のうちから選択された区画に選択的に画像を表示する部分表示が行われる場合に、選択された区画に対応する共通電極９を所定の共通電位ＶＣＯＭ＿ＤＣに駆動し、非選択の区画に対応する共通電極９を接地電位ＧＮＤに設定する。更に、液晶ドライバＩＣ２は、部分表示が行われる場合に、選択された区画に設けられた副画素７の画素電極７ｂを画像データに対応する画素電位に駆動し、表示領域のうちの非選択の区画に設けられた副画素７の画素電極７ｂを接地電位ＧＮＤに設定する。【選択図】図３
2015125245.tif 000002
【特許請求の範囲】
【請求項１】
液晶表示パネルと、
前記液晶表示パネルを駆動する液晶ドライバ
とを具備し、
前記液晶表示パネルは、
画素電極をそれぞれに含む複数の副画素が集積化された第１基板と、
前記第１基板に対向するように設けられた、複数の共通電極が形成された第２基板
とを含み、
前記液晶表示パネルの表示領域は、前記複数の共通電極にそれぞれに対応する複数の区画に区分され、
前記液晶ドライバは、前記複数の区画のうちから選択された区画に選択的に画像を表示する部分表示が行われる場合、前記複数の共通電極のうちの前記選択された区画に対応する共通電極を所定の共通電位に駆動し、非選択の区画に対応する共通電極を所定の基準電位に設定し、前記複数の副画素のうち前記選択された区画に設けられた副画素の画素電極を画像データに対応する画素電位に駆動し、前記表示領域のうちの前記非選択の区画に設けられた副画素の画素電極を前記基準電位に設定するように構成された
液晶表示装置。
【請求項２】
請求項１に記載の液晶表示装置であって、
前記基準電位が、前記液晶ドライバの回路接地の電位である
液晶表示装置。
【請求項３】
請求項１又は２に記載の液晶表示装置であって、
更に、前記液晶表示パネルの前記表示領域に設けられたゲート線を駆動するゲート駆動回路を具備し、
前記ゲート駆動回路は、前記部分表示が行われる場合と、前記表示領域の全体に画像を表示する全画面表示が行われる場合の両方において、前記表示領域の前記ゲート線の全てを順次に駆動する
液晶表示装置。
【請求項４】
請求項１又は２に記載の液晶表示装置であって、
更に、前記液晶表示パネルのゲート線を駆動するゲート駆動回路を具備し、
前記ゲート駆動回路は、前記部分表示が行われる場合、前記部分表示が開始されて以後、所定数の垂直同期期間においては前記表示領域の前記ゲート線の全てを順次に駆動し、その後の垂直同期期間においては、前記表示領域の前記ゲート線のうち前記選択された区画に交差するゲート線のみを順次に駆動する
液晶表示装置。
【請求項５】
画素電極をそれぞれに含む複数の副画素と、前記副画素に接続された複数のソース線とが集積化された第１基板と、前記第１基板に対向するように設けられた、複数の共通電極が形成された第２基板とを含む液晶表示パネルを駆動するための液晶ドライバであって、
前記複数の共通電極を駆動する共通電極駆動回路と、
前記ソース線を駆動するソース駆動回路
とを具備し、
前記液晶表示パネルの表示領域に前記複数の共通電極にそれぞれに対応するように定められた複数の区画のうちから選択された区画に選択的に画像を表示する部分表示が行われる場合、前記共通電極駆動回路は、前記複数の共通電極のうちの前記選択された区画に対応する共通電極を所定の共通電位に駆動すると共に非選択の区画に対応する共通電極を所定の基準電位に設定し、前記ソース駆動回路は、前記ソース線を介して、前記複数の副画素のうち前記選択された区画に設けられた副画素の画素電極を画像データに対応する画素電位に駆動し、前記表示領域のうちの前記非選択の区画に設けられた副画素の画素電極を前記基準電位に設定する
液晶ドライバ。
【請求項６】
請求項５に記載の液晶ドライバであって、
前記基準電位が、前記液晶ドライバの回路接地の電位である
液晶ドライバ。
【請求項７】
請求項５又は６に記載の液晶ドライバであって、
更に、前記液晶表示パネルの前記表示領域に設けられたゲート線を駆動するゲート駆動回路を制御する制御回路を具備し、
前記制御回路は、前記ゲート駆動回路を、前記部分表示が行われる場合と、前記表示領域の全体に画像を表示する全画面表示が行われる場合の両方において、前記表示領域の前記ゲート線の全てを順次に駆動するように制御する
液晶ドライバ。
【請求項８】
請求項５又は６に記載の液晶ドライバであって、
更に、前記液晶表示パネルのゲート線を駆動するゲート駆動回路を制御する制御回路を具備し、
前記部分表示が行われる場合、前記制御回路は、前記部分表示が開始されて以後、所定数の垂直同期期間においては前記表示領域の前記ゲート線の全てを順次に駆動し、その後の垂直同期期間においては、前記表示領域の前記ゲート線のうち前記選択された区画に交差するゲート線のみを順次に駆動するように前記ゲート駆動回路を制御する
液晶ドライバ。
【請求項９】
画素電極をそれぞれに含む複数の副画素が集積化された第１基板と、前記第１基板に対向するように設けられた、複数の共通電極が形成された第２基板とを含む液晶表示パネルを駆動する駆動方法であって、
前記液晶表示パネルの表示領域に前記複数の共通電極にそれぞれに対応するように定められた複数の区画のうちから選択された区画に選択的に画像を表示する部分表示を行うステップを具備し、
前記部分表示を行うステップでは、前記複数の共通電極のうちの前記選択された区画に対応する共通電極が所定の共通電位に駆動され、前記複数の共通電極のうちの非選択の区画に対応する共通電極が所定の基準電位に設定され、前記複数の副画素のうち前記選択された区画に設けられた副画素の画素電極が画像データに対応する画素電位に駆動され、前記表示領域のうちの前記非選択の共通電極に対応する区画に設けられた副画素の画素電極が前記基準電位に設定される
駆動方法。
【請求項１０】
請求項９に記載の駆動方法であって、
前記基準電位が、前記液晶表示パネルを駆動する液晶ドライバの回路接地の電位である
駆動方法。
【請求項１１】
請求項９又は１０に記載の駆動方法であって、
前記部分表示を行うステップでは、前記部分表示が開始されて以後、所定数の垂直同期期間においては前記表示領域の前記ゲート線の全てが順次に駆動され、その後の垂直同期期間においては、前記表示領域の前記ゲート線のうち前記選択された区画に交差するゲート線のみが順次に駆動される
駆動方法。
【発明の詳細な説明】
【技術分野】
【０００１】
本発明は、液晶表示装置、液晶ドライバ、及び、液晶表示パネルの駆動方法に関する。
【背景技術】
【０００２】
液晶表示装置は、部分表示、即ち、画面の一部分のみに選択的に画像を表示する動作が要求されることがある。例えば、近年、スマートフォンやタブレットのような携帯端末の画面サイズが増大していることから、携帯端末に搭載される液晶表示装置は、待ち受け状態においては、画面の一部のみに所望の画像（例えば、時計の画像）を表示させる動作が行われることがある。
【０００３】
図１は、部分表示の例を示す概念図である。ユーザによって携帯端末１００が現に操作されている場合、即ち、携帯端末１００が実使用状態にある場合、図１の左図に図示されているように、全画面表示、即ち、携帯端末１００の液晶表示装置の全画面で画像が表示される動作が行われる。一定時間、携帯端末１００への操作がなされないと、携帯端末１００が待ち受け状態に移行する。待ち受け状態では、携帯端末１００の液晶表示装置の画面の一部分で画像が表示される部分表示が行われる。図１の中央図は、液晶表示装置の画面の部分Ａに、デジタル時計の画像が表示され、他の部分では画像が表示されない動作を図示している。更に、待ち受け状態に移行後、一定時間が経過すると、図１の右図に図示されているように、画面全体で表示がオフされる不使用状態に移行する。不使用状態で特定の操作（例えば、特定のボタンの押下）がなされると、携帯端末１００が待ち受け状態に戻り、更に、待ち受け状態で携帯端末１００に特定の操作がなされると（例えば、液晶表示装置の画面に特定のジェスチャーがなされると）、携帯端末１００が実使用状態に復帰する。
【０００４】
従来の液晶表示装置では、一般に、部分表示を行う場合であっても画面の全体の副画素が駆動される。詳細には、画像の表示を行わない部分の画素については、例えば黒表示が行われ、黒表示を行うように当該画素の各画素が駆動される。これは、共通電極が特定の共通電位に駆動されるので、液晶表示パネルの液晶へのダメージを防ぐためには、全ての副画素を交流駆動で駆動する必要があるためである。副画素を交流駆動で駆動しないと、各副画素の画素電極と共通電極との間で直流電圧が印加されることになり、液晶にダメージが印加される。
【０００５】
発明者の検討によれば、上記のような従来の液晶表示装置の動作は、部分表示を行う場合に消費電力を不必要に増大させている。消費電力の低減は、近年のスマートフォンやタブレットに搭載される液晶表示装置のように、携帯端末向けの高解像度の液晶表示装置においては特に重要な要求である。
【０００６】
なお、本願に関連し得る技術として、特許文献１（特開２００９−１０９７０５号公報）は、画面に部分的な表示を行う場合における消費電力の低減について言及している。特許文献１に開示された技術では、部分表示モードにおける非表示領域ではプリチャージ用の電源を利用して画素データの書き込みが行われ、データ線駆動回路からの画像信号を画素に書き込むソース書き込みが停止される。このような動作により、消費電力が低減されている。
【先行技術文献】
【特許文献】
【０００７】
【特許文献１】特開２００９−１０９７０５号公報
【発明の概要】
【発明が解決しようとする課題】
【０００８】
したがって、本発明の目的は、部分表示を行う場合における消費電力が低減された液晶表示装置を提供することにある。
【課題を解決するための手段】
【０００９】
本発明の一の観点では、液晶表示装置が、液晶表示パネルと、液晶表示パネルを駆動する液晶ドライバとを具備する。液晶表示パネルは、画素電極をそれぞれに含む複数の副画素が集積化された第１基板と、第１基板に対向するように設けられた、複数の共通電極が形成された第２基板とを含む。液晶表示パネルの表示領域は、複数の共通電極にそれぞれに対応する複数の区画に区分される。液晶ドライバは、複数の区画のうちから選択された区画に選択的に画像を表示する部分表示が行われる場合に、複数の共通電極のうちの選択された区画に対応する共通電極を所定の共通電位に駆動し、非選択の区画に対応する共通電極を所定の基準電位に設定し、複数の副画素のうち選択された区画に設けられた副画素の画素電極を画像データに対応する画素電位に駆動し、表示領域のうちの非選択の区画に設けられた副画素の画素電極を基準電位に設定するように構成されている。
【００１０】
本発明の他の観点では、画素電極をそれぞれに含む複数の副画素と、副画素に接続された複数のソース線とが集積化された第１基板と、第１基板に対向するように設けられた、複数の共通電極が形成された第２基板とを含む液晶表示パネルを駆動するための液晶ドライバが提供される。当該液晶ドライバは、複数の共通電極を駆動する共通電極駆動回路と、ソース線を駆動するソース駆動回路とを具備する。液晶表示パネルの表示領域に複数の共通電極にそれぞれに対応するように定められた複数の区画のうちから選択された区画に選択的に画像を表示する部分表示が行われる場合、共通電極駆動回路は、複数の共通電極のうちの選択された区画に対応する共通電極を所定の共通電位に駆動すると共に非選択の区画に対応する共通電極を所定の基準電位に設定する。また、部分表示が行われる場合、ソース駆動回路は、ソース線を介して、複数の副画素のうち選択された区画に設けられた副画素の画素電極を画像データに対応する画素電位に駆動し、表示領域のうちの非選択の区画に設けられた副画素の画素電極を基準電位に設定する。
【００１１】
本発明の更に他の観点では、画素電極をそれぞれに含む複数の副画素が集積化された第１基板と、第１基板に対向するように設けられた、複数の共通電極が形成された第２基板とを含む液晶表示パネルを駆動する駆動方法が提供される。当該駆動方法は、液晶表示パネルの表示領域に複数の共通電極にそれぞれに対応するように定められた複数の区画のうちから選択された区画に選択的に画像を表示する部分表示を行うステップを具備する。部分表示を行うステップでは、複数の共通電極のうちの選択された区画に対応する共通電極が所定の共通電位に駆動され、複数の共通電極のうちの非選択の区画に対応する共通電極が所定の基準電位に設定され、複数の副画素のうち選択された区画に設けられた副画素の画素電極が画像データに対応する画素電位に駆動され、表示領域のうちの非選択の共通電極に対応する区画に設けられた副画素の画素電極が基準電位に設定される。
【発明の効果】
【００１２】
本発明によれば、部分表示を行う場合における消費電力が低減された液晶表示装置を提供することができる。
【図面の簡単な説明】
【００１３】
【図１】部分表示の例を模式的に示す図である。
【図２】液晶表示装置の一般的な構成を示すブロック図である。
【図３】本発明の一実施形態における液晶表示装置の構成を示すブロック図である。
【図４】本実施形態の液晶表示装置のソース駆動回路及びＶＣＯＭ駆動回路の構成を示す回路図である。
【図５】全画面表示が行われる場合の本実施形態の液晶表示装置の動作を示すタイミングチャートである。
【図６】部分表示が行われる場合の本実施形態の液晶表示装置の動作を示すタイミングチャートである。
【図７Ａ】液晶表示パネルの表示領域の画像が表示される区画における各ノードの電位を示す概念図である。
【図７Ｂ】液晶表示パネルの表示領域の画像が表示されない区画における各ノードの電位を示す概念図である。
【図８】部分表示が行われる場合の本実施形態の液晶表示装置の動作の変形例を示すタイミングチャートである。
【図９】本実施形態の液晶表示装置の対向基板の構造の変形例を示す図である。
【図１０】本実施形態の液晶表示装置の対向基板の構造の他の変形例を示す図である。
【図１１】本実施形態の液晶表示装置の対向基板の構造の更に他の変形例を示す図である。
【図１２】本実施形態の液晶表示装置が搭載された携帯端末の構成の例を示すブロック図である。
【図１３Ａ】本実施形態の液晶表示装置の液晶ドライバＩＣのより具体的な構成の例を示すブロック図である。
【図１３Ｂ】本実施形態の液晶表示装置の液晶ドライバＩＣのより具体的な構成の例を示すブロック図である。
【発明を実施するための形態】
【００１４】
本発明の技術的意義の理解を容易にするために、以下では、まず、一般的な液晶表示装置の構成と、当該液晶表示装置における部分表示について説明する。
【００１５】
図２は、液晶表示装置の一般的な構成を示す模式図である。図２の液晶表示装置は、液晶表示パネル１０１と、液晶表示パネル１０１を駆動する液晶ドライバＩＣ（integrated  circuit）１０２とを備えている。液晶表示パネル１０１は、ＴＦＴ（thin  film  transistor）基板１０３と、対向基板１０４とを備えている。ＴＦＴ基板１０３には、ソース線１０５と、ゲート線１０６と、副画素１０７と、ゲート線駆動回路１０８とが集積化されている。一方、対向基板１０４には、共通電極１０９が形成されている。ＴＦＴ基板１０３と対向基板１０４の間には液晶が充填されている。液晶ドライバＩＣ１０２は、ソース線１０５を駆動するソース駆動回路１１１と、共通電極１０９を駆動するＶＣＯＭ駆動回路１１２とを備えている。
【００１６】
図２のような構成の液晶表示装置において、部分表示を行う、例えば、領域Ｂのみについて画像を表示する場合を考えよう。領域Ｂにおいて画像を表示する場合、領域Ｂの各画素の各副画素１０７が駆動され、更に、共通電極１０９が所定の共通電位ＶＣＯＭに駆動される。
【００１７】
ここで、領域Ｂ以外の部分の画素については、例えば、黒表示を行うように当該画素の各副画素が駆動される。これは、共通電極１０９が所定の共通電位ＶＣＯＭに駆動されるので、液晶へのダメージを回避するためには、領域Ｂ以外の画素の副画素１０７についても交流駆動を行う必要があるためである。もし、領域Ｂ以外の副画素１０７について交流駆動を行わなければ、共通電極１０９に印加される共通電位ＶＣＯＭによって液晶に直流電圧が印加され、液晶にダメージが印加されることになる。液晶へのダメージは、いわゆる焼き付きという現象となって顕在化する。このように、図２の液晶表示装置では、領域Ｂについてのみ画像を表示する場合でも、結局、全ての副画素１０７を駆動する必要がある。
【００１８】
発明者の検討によれば、上記のような従来の液晶表示装置の構成及び動作は、部分表示を行う場合における消費電力を不必要に増大させている。以下に述べられる本発明の実施形態では、部分表示を行う場合における消費電力が低減されるように構成された液晶表示装置が提示される。
【００１９】
図３は、本発明の一実施形態の液晶表示装置の構成を示す模式図である。本実施形態の液晶表示装置は、液晶表示パネル１と、液晶ドライバＩＣ２とを備えている。液晶表示パネル１は、ＴＦＴ基板３と、対向基板４とを備えている。ＴＦＴ基板３と対向基板４とは、互いに対向するように接合されている。
【００２０】
ＴＦＴ基板３は、ソース線（データ線、信号線と呼ばれることもある）５と、ゲート線（ディジット線、走査線と呼ばれることもある）６と、副画素７とを備えている。本実施形態では、ソース線５は、縦方向（図３においてはＹ軸方向）に延伸するように設けられ、ゲート線６は、横方向（図３においてはＸ軸方向）に延伸するように設けられている。各副画素７は、対応するソース線５とゲート線６に接続されている。
【００２１】
各副画素７は、選択トランジスタとして用いられるＴＦＴ７ａと、画素電極７ｂとを備えている。ＴＦＴ７ａのソースは、ソース線５に接続され、ドレインは画素電極７ｂに接続されている。本実施形態では、液晶表示パネル１の各画素が、所定数の副画素７（典型的には、３又は４個の副画素７）で構成され、各画素の副画素７は、異なる色（例えば、赤、緑、青の組み合わせ、又は、赤、緑、青、黄色の組み合わせ）を表示するために用いられる。
【００２２】
ＴＦＴ基板３には、更に、ゲート線６を駆動するゲート駆動回路８が搭載されている。ゲート駆動回路８は、ＧＩＰ（gate  in  panel）技術を用いてＴＦＴ基板３のガラス基板上に集積化された半導体回路として実装されてもよい。また、ゲート駆動回路８がＩＣチップに集積化され、ＣＯＧ（chip  on  glass）技術を用いてＴＦＴ基板３のガラス基板の上に搭載されてもよい。
【００２３】
対向基板４は、複数の共通電極（対向電極）９を備えている。言い換えれば、本実施形態の液晶表示装置では、対向基板４に設けられる共通電極９が複数の電極に分割される。このような構成は、本実施形態の液晶表示装置の一つの特徴であり、後述されるように、部分表示における消費電力の低減において重要である。
【００２４】
より具体的には、本実施形態では、液晶表示パネル１の表示領域（即ち、副画素７が設けられた領域）が４つの区画に区分され、その４つの区画にそれぞれに対応するように共通電極９−１〜９−４が設けられている。図３の構成では、共通電極９−１〜９−４が、Ｙ軸方向に並べて配置されている。共通電極９−１は、共通電極９−１が対応する区画に設けられた副画素７の画素電極７ｂと対向しており、共通電極９−２は、共通電極９−２が対応する区画に設けられた副画素７の画素電極７ｂと対向している。同様に、共通電極９−３は、共通電極９−３が対応する区画に設けられた副画素７の画素電極７ｂと対向しており、共通電極９−４は、共通電極９−４が対応する区画に設けられた副画素７の画素電極７ｂと対向している。共通電極９−１〜９−４と各副画素７の画素電極７ｂの間には液晶が充填される。
【００２５】
本実施形態では、共通電極９−１〜９−４のそれぞれに対応する区画に、ｍ本のゲート線６が設けられている。共通電極９−１に対応する区画を交差するｍ本のゲート線６は、ゲート線Ｇ１＿１〜Ｇ１＿ｍとして参照されることがあり（図３では、ゲート線Ｇ１＿１、Ｇ１＿２のみが図示されている）、共通電極９−２に対応する区画を交差するｍ本のゲート線６は、ゲート線Ｇ２＿１〜Ｇ２＿ｍとして参照されることがある（図３では、ゲート線Ｇ２＿１、Ｇ２＿２のみが図示されている）。同様に、共通電極９−３に対応する区画を交差するｍ本のゲート線６は、ゲート線Ｇ３＿１〜Ｇ３＿ｍとして参照されることがあり（図３では、ゲート線Ｇ３＿１、Ｇ３＿２のみが図示されている）、共通電極９−４に対応する区画を交差するｍ本のゲート線６は、ゲート線Ｇ４＿１〜Ｇ４＿ｍとして参照されることがある（図３では、ゲート線Ｇ４＿１、Ｇ４＿２のみが図示されている）。
【００２６】
なお、後述されるように、対向基板４に設けられる共通電極９の数及び配置は、様々に変更可能である。ここで、図３では、各ゲート線６は、単一の共通電極９に対応する区画に交差するように配置されているが、共通電極９の配置によっては、各ゲート線６が複数の共通電極９にそれぞれに対応する複数の区画に交差するように配置されることもあることに留意されたい。
【００２７】
液晶ドライバＩＣ２は、３つの機能：ソース出力Ｓ１〜Ｓｎ（図３では、４つのソース出力Ｓ１〜Ｓ４のみが図示されている）に接続されたソース線５を駆動する機能、共通電極９−１〜９−４を駆動する機能、及び、ゲート駆動回路８を制御する制御信号を生成する機能を有している。
【００２８】
より具体的には、液晶ドライバＩＣ２は、ソース駆動回路１１と、ＶＣＯＭ駆動回路（共通電極駆動回路）１２とを備えている。図４は、ソース駆動回路１１と、ＶＣＯＭ駆動回路１２の構成を示す回路図である。図４において、符号１８は、液晶ドライバＩＣ２に設けられた表示タイミング生成回路を示している。更に、液晶ドライバＩＣ２は、ゲート駆動回路８を制御する制御信号を生成する制御回路（パネルインターフェース回路と呼ばれることがある）を備えている（図３、図４においては図示されていない）。
【００２９】
ソース駆動回路１１には、各副画素７の階調を示す（即ち、各水平同期期間において各ソース線５を駆動すべき電位を示す）画像データが供給される。図４では、ソース出力Ｓｉに接続されたソース線５に接続された副画素７に対応する画像データが、記号“Ｄｉ”で示されている。ここで、ｉは、１以上ｎ以下の整数である。ソース駆動回路１１は、選択されたゲート線６（即ち、“Ｈｉｇｈ”レベルに駆動されたゲート線６）に接続された副画素７を、ソース線５を通じて画像データＤ１〜Ｄｎに指定された階調に対応する電位に駆動する。なお、画像データＤ１〜Ｄｎは、外部装置から液晶ドライバＩＣ２に供給された入力画像データ、又は、外部装置から液晶ドライバＩＣ２に供給された入力画像データに対して補正演算を行うことによって得られる画像データである。
【００３０】
本実施形態の液晶表示装置では、ソース駆動回路１１が交流駆動に対応した動作を行うことに留意されたい。液晶表示パネル１の画像が表示される部分の副画素７の駆動については、Ｎフレーム期間（Ｎは、１以上の自然数）、共通電位ＶＣＯＭ＿ＤＣを基準として正極性の画素電位（即ち、共通電位ＶＣＯＭ＿ＤＣよりも高い画素電位）で該副画素７を駆動する動作と、Ｎフレーム期間、共通電位ＶＣＯＭ＿ＤＣを基準として負極性の画素電位（即ち、共通電位ＶＣＯＭ＿ＤＣよりも低い画素電位）で当該副画素７を駆動する動作とが繰り返される。いわゆるフレーム反転駆動は、Ｎが１の場合であり、この場合、各副画素７に供給される画素電位の極性が、フレーム毎に反転されることになる。ここで、本実施形態の液晶表示装置では、コモンＤＣ駆動（コモン一定駆動）が採用される。言い換えれば、共通電位ＶＣＯＭ＿ＤＣを基準として正極性の画素電位で各副画素７を駆動する場合、共通電位ＶＣＯＭ＿ＤＣを基準として負極性の画素電位で各副画素７を駆動する場合のいずれについても共通電位ＶＣＯＭ＿ＤＣは、一定のバイアス電位に維持される。
【００３１】
加えて、ソース駆動回路１１は、所望のソース線５を選択的に接地電位ＧＮＤにすることも可能であるように構成されている。部分表示が行われる場合、選択されたゲート線６に接続された副画素７のうち、液晶表示パネル１の画像が表示されない部分の副画素７に接続されたソース線５は接地電位ＧＮＤに設定される。言い換えれば、選択されたゲート線６に接続された副画素７のうち、液晶表示パネル１の画像が表示されない部分の副画素７の画素電極７ｂは、接地電位ＧＮＤに設定される。後述されるように、ソース駆動回路１１が所望のソース線５を接地電位ＧＮＤに設定可能な構成を有していることは、消費電力を低減させながら部分表示を可能にするために重要である。
【００３２】
具体的な構成としては、ソース駆動回路１１は、Ｄ／Ａコンバータ１３−１〜１３−ｎと、出力アンプ１４−１〜１４−ｎと、セレクタ１５−１〜１５−ｎとを備えている。一つのソース出力Ｓｉに対し、一つのＤ／Ａコンバータ１３−ｉ、一つの出力アンプ１４−ｉ、一つのセレクタ１５−ｉが設けられている。各Ｄ／Ａコンバータ１３−ｉは、それぞれ画像データＤｉに対してデジタル−アナログ変換を行い、画像データＤｉに対応する画素電位Ｖｉを出力する。出力アンプ１４−１〜１４−ｎは、ボルテッジフォロアとして構成されており、各出力アンプ１４−ｉは、Ｄ／Ａコンバータ１３−ｉから出力された画素電位Ｖｉと実質的に同一の出力電位を出力する。セレクタ１５−ｉは、それぞれ、表示タイミング生成回路１８から供給される制御信号ＳＣＮＴＬｉに応答して、接地電位ＧＮＤと出力アンプ１４−ｉから受け取った出力電位とのうちの一方を選択し、選択した電位をソース出力Ｓｉに出力する。
【００３３】
図４には、ｎ本の制御信号ＳＣＮＴＬ１〜ｎがセレクタ１５−１〜１５−ｎに供給され、各セレクタ１５−１〜１５−ｎが、それぞれ制御信号ＳＣＮＴＬ１〜ｎに応答して動作する構成が図示されているが、セレクタ１５−１〜１５−ｎのそれぞれがデコーダを備え、表示タイミング生成回路１８から供給される制御信号をデコードして接地電位ＧＮＤとＤ／Ａコンバータ１３−ｉから受け取った画素電位とのうちの一方を選択する構成であってもよい。このような構成によれば、表示タイミング生成回路１８からセレクタ１５−１〜１５−ｎに供給される信号の数を低減することができる。
【００３４】
ＶＣＯＭ駆動回路１２は、対向基板４の共通電極９−１〜９−４を駆動する。ＶＣＯＭ駆動回路１２は、共通電極９−１〜９−４を個別に駆動可能に構成されており、共通電極９−１〜９−４のうちから選択された共通電極９を所定の共通電位ＶＣＯＭ＿ＤＣに駆動する一方で、非選択の共通電極９を接地電位ＧＮＤに設定するように構成されている。
【００３５】
詳細には、ＶＣＯＭ駆動回路１２は、ＶＣＯＭ電源１６と、セレクタ１７−１〜１７−４とを備えている。ＶＣＯＭ電源１６は、共通電位ＶＣＯＭ＿ＤＣを生成する。セレクタ１７−１は、その出力が共通電極９−１に接続されており、表示タイミング生成回路１８から供給される制御信号ＶＣＮＴＬ１に応答して、共通電極９−１の電位ＶＣＯＭ１を、共通電位ＶＣＯＭ＿ＤＣと接地電位ＧＮＤのいずれかに設定する。同様に、セレクタ１７−２は、その出力が共通電極９−２に接続されており、表示タイミング生成回路１８から供給される制御信号ＶＣＮＴＬ２に応答して、共通電極９−２の電位ＶＣＯＭ２を、共通電位ＶＣＯＭ＿ＤＣと接地電位ＧＮＤのいずれかに設定する。セレクタ１７−３、１７−４についても同様である。セレクタ１７−３は、表示タイミング生成回路１８から供給される制御信号ＶＣＮＴＬ３に応答して、共通電極９−３の電位ＶＣＯＭ３を、共通電位ＶＣＯＭ＿ＤＣと接地電位ＧＮＤのいずれかに設定し、セレクタ１７−４は、表示タイミング生成回路１８から供給される制御信号ＶＣＮＴＬ４に応答して、共通電極９−４の電位ＶＣＯＭ４を、共通電位ＶＣＯＭ＿ＤＣと接地電位ＧＮＤのいずれかに設定する。
【００３６】
続いて、本実施形態の液晶表示装置の動作について説明する。本実施形態の液晶表示装置は、液晶表示パネル１の表示領域の全体に画像を表示する全画面表示と、液晶表示パネル１の表示領域の４つの区画（当該４つの区画は、共通電極９−１〜９−４にそれぞれに対応している）のうちから選択された区画に画像を表示する部分表示とに対応している。
【００３７】
図５は、全画面表示が行われる場合の本実施形態の液晶表示装置の動作を示すタイミングチャートである。ここで、全画面表示が行われる場合、全ての共通電極９（９−１〜９−４）がＶＣＯＭ駆動回路１２によって共通電位ＶＣＯＭ＿ＤＣに駆動された状態で、液晶表示パネル１の表示領域の全体の副画素７が駆動される。詳細には、液晶表示パネル１の表示領域の全体のゲート線６が、ゲート駆動回路８によって順次に選択される（即ち、“Ｈｉｇh”レベルに駆動される）。ソース線５は、ゲート線６の駆動に同期して駆動される。即ち、あるゲート線６が選択されると（以下、選択されたゲート線６を選択ゲート線という）、選択ゲート線に接続された副画素７のＴＦＴ７ａがオン状態になる。更に、各ソース線５が、該選択ゲート線に接続された、対応する副画素７に供給されるべき画素電位に駆動される。これにより、選択ゲート線に接続された副画素７の画素電極７ｂが、所望の画素電位に駆動される。ここで、全画面表示が行われる場合には、液晶表示パネル１の表示領域の全体の副画素７が交流駆動によって駆動されることに留意されたい。
【００３８】
一方、図６は、液晶表示パネル１の表示領域の共通電極９−１に対応する区画にのみ画像を表示する部分表示が行われる場合の本実施形態の液晶表示装置の動作を示すタイミングチャートである。共通電極９−１に対応する区画にのみ画像を表示する部分表示が行われる場合、共通電極９−１のみが共通電位ＶＣＯＭ＿ＤＣに駆動され、他の共通電極９−２〜９−４は接地電位ＧＮＤに設定される。更に、液晶表示パネル１の表示領域の全体のゲート線６が、ゲート駆動回路８によって順次に選択されて駆動される。
【００３９】
ここで、図６の動作では、部分表示が行われるにも関わらず、液晶表示パネル１の表示領域の全体のゲート線６が順次に駆動されることに留意されたい。画像を表示するという観点からは、本来は、画像が表示されない区画のゲート線６を駆動する必要はない。しかしながら、全画面表示が行われる場合と部分表示が行われる場合とで異なる動作をゲート駆動回路８に行わせるためには、特別な仕様のゲート駆動回路８が必要となる。これは、コストを増加させる要因となり得る。図６の動作のように、全画面表示が行われる場合と部分表示が行われる場合とでゲート駆動回路８によるゲート線６の駆動動作が同一であれば、特別な仕様のゲート駆動回路８は不要である。ただし、後述されるように、ゲート駆動回路８によるゲート線６の駆動動作が全画面表示と部分表示との間で切り換えられてもよい。
【００４０】
ゲート線６の駆動に同期して、画像が表示される区画（即ち、共通電極９−１に対応する区画）の副画素７が所望の画素電位に駆動される。詳細には、共通電極９−１に対応する区画を交差するゲート線Ｇ１＿ｉが選択されると（ｉは、１以上ｍ以下の整数）、選択ゲート線Ｇ１＿ｉに接続された副画素７のＴＦＴ７ａがオン状態になる。更に、各ソース線５（即ち、各ソース出力Ｓ１〜Ｓｎ）が、該選択ゲート線Ｇ１＿ｉに接続された、対応する副画素７に供給されるべき画素電位に駆動される。これにより、選択ゲート線Ｇ１＿ｉに接続された副画素７の画素電極７ｂが、所望の画素電位に駆動される。部分表示が行われる場合にも、画像が表示される区画の副画素７は、交流駆動によって駆動されることに留意されたい。
【００４１】
一方、画像が表示されない区画（即ち、共通電極９−２〜９−４に対応する区画）の副画素７は、接地電位ＧＮＤに駆動される。詳細には、液晶表示パネル１の共通電極９−２に対応する区画を交差するゲート線Ｇ２＿ｉが選択されると（ｉは、１以上ｍ以下の整数）、選択ゲート線Ｇ２＿ｉに接続された副画素７のＴＦＴ７ａがオン状態になる。更に、各ソース線５（即ち、各ソース出力Ｓ１〜Ｓｎ）が接地電位ＧＮＤに設定される。これにより、選択ゲート線Ｇ２＿ｉに接続された副画素７の画素電極７ｂが、接地電位ＧＮＤに設定される。液晶表示パネル１の共通電極９−３、９−４に対応する区画を交差するゲート線Ｇ３＿ｉ、Ｇ４＿ｉが選択されたときも同様である。液晶表示パネル１の共通電極９−３に対応する区画を交差するゲート線Ｇ３＿ｉが選択されると、各ソース線５（即ち、各ソース出力Ｓ１〜Ｓｎ）が接地電位ＧＮＤに設定され、これにより、選択ゲート線Ｇ３＿ｉに接続された副画素７の画素電極７ｂが、接地電位ＧＮＤに設定される。また、液晶表示パネル１の共通電極９−４に対応する区画を交差するゲート線Ｇ４＿ｉが選択されると、各ソース線５（即ち、各ソース出力Ｓ１〜Ｓｎ）が接地電位ＧＮＤに設定され、これにより、選択ゲート線Ｇ４＿ｉに接続された副画素７の画素電極７ｂが、接地電位ＧＮＤに設定される。
【００４２】
図７Ａは、部分表示が行われる場合において、液晶表示パネル１の画像が表示される区画（即ち、共通電極９−１に対応する区画）における各ノードの電位を示す概念図である。共通電極９−１は共通電位ＶＣＯＭ＿ＤＣに駆動される一方で、ゲート線Ｇ１＿ｉが選択されると、ソース出力Ｓ１〜Ｓｎに接続されたソース線５は、それぞれ、ゲート線Ｇ１＿ｉに接続された副画素７に供給すべき画素電位Ｖ１〜Ｖｎに駆動される（図７Ａには、ソース出力Ｓ１〜Ｓ４に接続されたソース線５のみが図示されている）。ここで、共通電極９−１に対応する区画の副画素７は交流駆動で駆動されることに留意されたい。共通電極９−１は共通電位ＶＣＯＭ＿ＤＣで一定に保たれる一方で、各副画素７に供給される画素電位の共通電位ＶＣＯＭ＿ＤＣを基準とした極性は、所定数のフレーム期間毎に反転される。
【００４３】
一方、図７Ｂは、液晶表示パネル１の画像が表示されない区画（即ち、共通電極９−２〜９−４に対応する区画）における各ノードの電位を示す概念図である。共通電極９−２〜９−４が接地電位ＧＮＤに設定され、更に、共通電極９−２〜９−４に対応するゲート線６が選択されると、ソース出力Ｓ１〜Ｓｎに接続されたソース線５は、接地電位ＧＮＤに設定される。これにより、液晶表示パネル１の画像が表示されない区画の副画素７の画素電極７ｂと、それに対向する共通電極９とは同一の電位になる。言い換えれば、液晶表示パネル１の画像が表示されない区画の副画素７の画素電極７ｂと、それに対向する共通電極９との間には直流バイアスは印加されない。このように、液晶表示パネル１の画像が表示されない区画の副画素７については交流駆動が行われない。
【００４４】
以上に述べられている本実施形態の液晶表示装置の動作によれば、液晶表示パネル１の画像が表示されない区画の副画素７の画素電極７ｂと、それに対向する共通電極９とは同一の電位になり、直流バイアスは印加されない。このため、画素電極７ｂと共通電極９との間に充填される液晶へのダメージの印加を回避することができる。その一方で、液晶表示パネル１の画像が表示されない区画の副画素７については交流駆動が行われないので、部分表示を行う場合における消費電力を低減することができる。
【００４５】
なお、以上には、液晶表示パネル１の表示領域の共通電極９−１に対応する区画にのみ画像を表示する部分表示について説明しているが、所望の共通電極９に対応する区画に選択的に画像を表示する部分表示を行うこともできる。この場合、液晶表示パネル１の画像が表示される区画に対応する共通電極９には共通電位ＶＣＯＭ＿ＤＣが供給され、画像が表示されない区画に対応する共通電極９は、接地電位ＧＮＤに設定される。また、液晶表示パネル１の画像が表示される区画の副画素７の画素電極７ｂは、所望の画素電位に駆動され、画像が表示されない区画の副画素７の画素電極７ｂは、接地電位ＧＮＤに設定される。
【００４６】
なお、上記では、液晶表示パネル１の画像が表示されない区画に対応する共通電極９と該区画に設けられる副画素７の画素電極７ｂとが、いずれも、接地電位ＧＮＤに設定される実施形態が記述されているが、一般に、液晶表示パネル１の画像が表示されない区画に対応する共通電極９と該区画に設けられる副画素７の画素電極７ｂとは、所定の基準電位に設定され得る。該基準電位は、接地電位ＧＮＤであってもよく、接地電位ＧＮＤ以外の所定電位であっても良い。この場合、画像が表示されない区画に対応する共通電極９が該基準電位に設定されると共に、画像が表示されない区画を交差するゲート線６が選択されると、ソース線５が、該基準電位に設定される。ただし、該基準電位として接地電位ＧＮＤを用いる場合には、画像が表示されない区画に対応する共通電極９を該基準電位に一定に保つための電力が不要であり、消費電力の低減に好適である。
【００４７】
一層に液晶表示装置の消費電力を低減するためには、液晶表示パネル１の画像が表示されない区画に交差するゲート線６の駆動を停止しても良い。ただし、画像が表示されない区画に交差するゲート線６の駆動を停止すると、当該区画に位置する副画素７の電荷が放電されないという問題も生じ得る。このような問題を回避するためには、部分表示が開始されて以後、所定数（複数であってもよい）の垂直同期期間（フレーム期間）において全てのゲート線６が順次に駆動され、その後は、液晶表示パネル１の画像が表示される区画に交差するゲート線６のみが順次に駆動されることが好ましい。
【００４８】
図８は、このような動作の例を示すタイミングチャートであり、液晶表示パネル１の表示領域の共通電極９−１に対応する区画にのみ画像を表示する部分表示が第ｋ垂直同期期間に開始された場合の液晶表示装置の動作を示している。
【００４９】
図８の動作では、部分表示が開始されて以後、１垂直同期期間（１フレーム期間）の間は、液晶表示パネル１の表示領域全体のゲート線６が順次に選択されて駆動される。即ち、第ｋ垂直同期期間（第ｋフレーム期間）においては、全てのゲート線６が順次に駆動される。このとき、液晶表示パネル１の画像が表示されない区画に対応する共通電極９と該区画に設けられる副画素７の画素電極７ｂとが、いずれも、接地電位ＧＮＤに設定される。これにより、画像が表示されない区画の副画素７の電荷が放電される。
【００５０】
その後、部分表示が行われるその後の垂直同期期間においては、液晶表示パネル１の画像が表示される区画に交差するゲート線６のみが順次に選択されて駆動され、液晶表示パネル１の画像が表示されない区画に交差するゲート線６は駆動されない。図８に図示されているように、第ｋ＋１垂直同期期間（第ｋ＋１フレーム期間）においては共通電極９−１に対応する区画に交差するゲート線Ｇ１＿１〜Ｇ１＿ｍのみが順次に駆動され、他のゲート線６は駆動されない。その後、部分表示が継続されている限り、第ｋ＋１垂直同期期間と同様の動作が行われる。
【００５１】
なお、図８に図示されている動作は、ゲート駆動回路８が、液晶ドライバＩＣ２から供給される制御信号に応答してゲート線６を駆動することで実現される。
【００５２】
上記には、対向基板４に、Ｙ軸方向に並べられた４つの共通電極９−１〜９−４が形成されている実施形態が記載されているが、対向基板４に設けられる共通電極９の数及び配置は、様々に変更可能である。
【００５３】
図９は、対向基板の構成の第１の変形例を示している。図９の構成では、Ｙ軸方向に並べられた８つの共通電極９−１〜９−８が対向基板４Ａに形成されている。部分表示が行われる場合、共通電極９−１〜９−８のうちの所望の一又は複数の共通電極９がＶＣＯＭ駆動回路１２によって選択され、選択された共通電極９が共通電位ＶＣＯＭ＿ＤＣに駆動される。非選択の共通電極９は、接地電位ＧＮＤに設定される。更に、画像が表示される区画に設けられた副画素７は所望の画素電位に駆動され、画像が表示されない区画に設けられた副画素７は接地電位ＧＮＤに設定される。図９の構成についても、図８に図示されている、部分表示が開始されて以後、所定数（複数であってもよい）の垂直同期期間（フレーム期間）において全てのゲート線６が順次に駆動され、その後は、液晶表示パネル１の画像が表示される区画に交差するゲート線６のみが順次に駆動される動作を適用しても良い。
【００５４】
図１０は、対向基板の構成の第２の変形例を示している。図１０の構成では、Ｘ軸方向に並べられた４つの共通電極９−１〜９−４が対向基板４Ｂに形成されている。部分表示が行われる場合、共通電極９−１〜９−４のうちの所望の一又は複数の共通電極９がＶＣＯＭ駆動回路１２によって選択され、選択された共通電極９が共通電位ＶＣＯＭ＿ＤＣに駆動される。非選択の共通電極は、接地電位ＧＮＤに設定される。
【００５５】
図１０の構成における部分表示においては、画像が表示される区画に対応する共通電極９として共通電極９−１〜９−４のいずれが選択されても、全てのゲート線６が選択された共通電極９に交差することになるから、部分表示が行われる場合においても、表示領域の全体のゲート線６が順次に駆動される（図８に図示されている動作は採用されない）。一方、画像が表示される区画に設けられた副画素７のみが所望の画素電位に駆動され、画像が表示されない区画に設けられた副画素７は接地電位ＧＮＤに設定される。言い換えれば、各ゲート線６が選択されたときに、画像が表示されない区画に設けられたソース線５にソース駆動回路１１から接地電位ＧＮＤが供給される。
【００５６】
図１１は、対向基板の構成の第３の変形例を示している。図１１の構成では、行列に配置された２０個の共通電極９−１〜９−２０が対向基板４Ｂに形成されている。部分表示が行われる場合、共通電極９−１〜９−２０のうちの所望の一又は複数の共通電極９がＶＣＯＭ駆動回路１２によって選択され、選択された共通電極９が共通電位ＶＣＯＭ＿ＤＣに駆動される。非選択の共通電極は、接地電位ＧＮＤに設定される。
【００５７】
更に、画像が表示される区画に設けられた副画素７は所望の画素電位に駆動され、画像が表示されない区画に設けられた副画素７は接地電位ＧＮＤに設定される。ここで、図１１の構成では、画像が表示される区画を交差するゲート線６には、当該区画に設けられる副画素７のみならず、画像が表示されない区画に設けられる副画素７が接続され得ることに留意されたい。このような状況に対処するために、図１１の構成の対向基板４Ｂが使用される場合、画像が表示される区画を交差するゲート線６が選択されると、選択ゲート線に接続され、且つ、画像が表示される区画に位置する副画素７に接続されたソース線５に所望の画素電位が供給され、選択ゲート線に接続されるが画像が表示されない区画に位置する副画素７に接続されたソース線５には接地電位ＧＮＤが供給される。図４に図示されているような、ソース出力Ｓ１〜Ｓｎを個別に接地電位ＧＮＤに設定可能な構成のソース駆動回路１１は、このような動作に対応している。
【００５８】
なお、図１１の構成についても、図８に図示されているような、部分表示が開始されて以後、所定数（複数であってもよい）の垂直同期期間（フレーム期間）において全てのゲート線６が順次に駆動され、その後は、液晶表示パネル１の画像が表示される区画に交差するゲート線６のみが順次に駆動される動作を適用しても良い。
【００５９】
続いて、本実施形態の液晶表示装置の、より具体的な実装について説明する。図１２は、上記の実施形態の液晶表示装置が実装された携帯端末１０（例えば、携帯電話、スマートフォン、タブレット端末）の構成の例を示すブロック図である。図１２の携帯端末１０は、上述の液晶表示パネル１に加え、メインボード２１、マイク２２、スピーカ２３、及び、アンテナモジュール２４を備えている。メインボード２１には、音声インターフェース３１と、ベースバンド／アプリケーションプロセッサ３２と、ＤＳＰ（digital  signal  processor）３３と、ＡＳＩＣ（application  specific  integrated circuit）３４と、マイクロコンピュータ３５と、高周波インターフェース３６と、メモリ３７とが搭載されている。上述の液晶ドライバＩＣ２は、メインボード２１に搭載される。液晶表示パネル１に表示すべき画像を示す画像データは、ベースバンド／アプリケーションプロセッサ３２から液晶ドライバＩＣ２に供給される。液晶ドライバＩＣ２は、ベースバンド／アプリケーションプロセッサ３２から供給された画像データ及び制御データに応答して液晶表示パネル１を駆動する。
【００６０】
一方、図１３Ａ、図１３Ｂは、上述された本実施形態の液晶ドライバＩＣ２の、より具体的な構成を示すブロック図である。図１３Ａ、図１３Ｂに図示された液晶ドライバＩＣ２は、大きく分けて、データ駆動回路部（１１、５１〜６１）、動作制御のための制御回路部（７１〜８０）、電源系回路部（８１〜８３）を備えている。
【００６１】
データ駆動回路部は、ソース出力Ｓ１−Ｓｎから出力される画素電位を生成するための回路部であり、上述のソース駆動回路１１に加え、データインターフェース５１と、ライトレジスタ５２と、セレクタ５３と、フレームメモリ５４と、ラッチ回路５５と、セレクタ５６と、スケーリング回路５７と、ラッチ回路５８、５９と、ガンマ演算回路６０と、階調電圧生成回路６１とを備えている。
【００６２】
データ駆動回路部の各回路は、概略的には、次のように動作する。データインターフェース５１は液晶表示パネル１に表示すべき画像の画像データＤＩＮを外部から受け取る回路である。ライトレジスタ５２は、フレームメモリ５４に書き込まれるべき画像データを一時的に保存する回路である。セレクタ５３は、フレームメモリ５４の入力を、データインターフェース５１とライトレジスタ５２とのいずれかに選択的に接続する。フレームメモリ５４は、画像データＤＩＮを保存する。ラッチ回路５５は、フレームメモリ５４から１水平ラインの画素（一のゲート線に接続された画素）の画像データを読み出す。セレクタ５６は、スケーリング回路５７の入力を、データインターフェース５１とラッチ回路５５のいずれかに選択的に接続する。スケーリング回路５７は、画像の拡大・縮小のための演算処理を行う。ラッチ回路５８、５９は、スケーリング回路５７から受け取った画像データを一時的に保持する。ソース駆動回路１１は、ラッチ回路５９から受け取った画像データに応答して、ソース出力Ｓ１−Ｓｎから画素電位を出力する。
【００６３】
制御回路部は、システムインターフェース７１と、コマンドレジスタ７２と、パラメータレジスタ７３と、不揮発性メモリ７４と、アドレスカウンタ７５と、バックライト制御回路７６と、タイミング生成回路７７と、パネルインターフェース回路７８と、発振回路７９と、タッチパネル同期出力回路８０とを備えている。
【００６４】
制御回路部の各回路は、概略的には、次のように動作する。システムインターフェース７１は、外部機器と制御信号、制御データを送受信する。コマンドレジスタ７２は、外部機器から供給された制御コマンドを保持する。パラメータレジスタ７３は、液晶ドライバＩＣ２の制御に用いられる様々なレジスタ値を保持する。不揮発性メモリ７４は、パラメータレジスタ７３に設定されるレジスタ値のうち、不揮発的に記憶する必要があるものを記憶する。アドレスカウンタ７５は、フレームメモリ５４のアクセスすべきアドレスを生成する。バックライト制御回路７６は、バックライト（図示されない）を制御する制御信号を生成する。
【００６５】
タイミング生成回路７７は、液晶ドライバＩＣ２全体のタイミング制御を行う。上述されている、ソース駆動回路１１に供給される制御信号ＳＣＴＲＬ１−ｎと、ＶＣＯＭ駆動回路１２に供給される制御信号ＶＣＴＲＬ１−４を生成する表示タイミング生成回路１８は（図４参照）、タイミング生成回路７７に組み込まれる。
【００６６】
パネルインターフェース回路７８は、液晶表示パネル１のゲート駆動回路８に供給されるゲート制御信号ＳＯＵＴ１−ＳＯＵＴ３２を生成する制御回路である。ゲート駆動回路８は、ゲート制御信号ＳＯＵＴ１−ＳＯＵＴ３２に応答して動作する。全画面表示が行われる場合のゲート駆動回路８の動作は、図５を参照しながら説明したとおりであり、また、部分表示が行われる場合のゲート駆動回路８の動作は、図６又は図８を参照しながら説明したとおりである。
【００６７】
発振回路７９は、タイミング生成回路７７に、液晶ドライバＩＣ２全体のタイミング制御の基準として用いられるクロック信号を供給する。タッチパネル同期出力回路８０は、タッチパネルの駆動及び検知処理を行う回路群に送信すべき同期信号を生成する。
【００６８】
電源系回路部は、液晶駆動電源生成回路８１と、内部ロジック電源レギュレータ８２と、内部参照電圧生成回路８３とを備えている。液晶駆動電源生成回路８１は、アナログ電源電圧ＶＣＩを受け取り、液晶ドライバＩＣ２で用いられる様々な電源電圧を生成する。上述のＶＣＯＭ駆動回路１２は、液晶駆動電源生成回路８１に組み込まれる。内部ロジック電源レギュレータ８２は、ロジック電源電圧ＶＤＤを生成する回路群で構成される。
【００６９】
以上には、本発明の実施形態が具体的に記載されているが、本発明の上記の実施形態には限定されない。本発明の実施形態が、様々に変更され得ることは、当業者には自明的であろう。
【符号の説明】
【００７０】
１        ：液晶表示パネル
２        ：液晶ドライバＩＣ
３        ：ＴＦＴ基板
４、４Ａ、４Ｂ：対向基板
５        ：ソース線
６        ：ゲート線
７        ：副画素
７ａ      ：ＴＦＴ
７ｂ      ：画素電極
８        ：ゲート駆動回路
９−１〜９−２０：共通電極
１０      ：携帯端末
１１      ：ソース駆動回路
１２      ：ＶＣＯＭ駆動回路
１３−ｉ  ：Ｄ／Ａコンバータ
１４−ｉ  ：出力アンプ
１５−ｉ  ：セレクタ
１６      ：ＶＣＯＭ電源
１７−１〜１７−４：セレクタ
１８      ：表示タイミング生成回路
２１      ：メインボード
２２      ：マイク
２３      ：スピーカ
２４      ：アンテナモジュール
３１      ：音声インターフェース
３２      ：アプリケーションプロセッサ
３３      ：ＤＳＰ
３４      ：ＡＳＩＣ
３５      ：マイクロコンピュータ
３６      ：高周波インターフェース
３７      ：メモリ
５１      ：データインターフェース
５２      ：ライトレジスタ
５３      ：セレクタ
５４      ：フレームメモリ
５５      ：ラッチ回路
５６      ：セレクタ
５７      ：スケーリング回路
５８、５９：ラッチ回路
６０      ：ガンマ演算回路
６１      ：階調電圧生成回路
７１      ：システムインターフェース
７２      ：コマンドレジスタ
７３      ：パラメータレジスタ
７４      ：不揮発性メモリ
７５      ：アドレスカウンタ
７６      ：バックライト制御回路
７７      ：タイミング生成回路
７８      ：パネルインターフェース回路
７９      ：発振回路
８０      ：タッチパネル同期出力回路
８１      ：液晶駆動電源生成回路
８２      ：内部ロジック電源レギュレータ
８３      ：内部参照電圧生成回路
Ｇ１＿ｉ、Ｇ２＿ｉ、Ｇ３＿ｉ、Ｇ４＿ｉ  ：ゲート線
Ｓ１〜Ｓｎ：ソース出力
１００    ：携帯端末
１０１    ：液晶表示パネル
１０２    ：液晶ドライバＩＣ
１０３    ：ＴＦＴ基板
１０４    ：対向基板
１０５    ：ソース線
１０６    ：ゲート線
１０７    ：副画素
１０８    ：ゲート線駆動回路
１０９    ：共通電極
１１１    ：ソース駆動回路
１１２    ：ＶＣＯＭ駆動回路
【図１】
2015125245.tif 000003
【図２】
2015125245.tif 000004
【図３】
2015125245.tif 000005
【図４】
2015125245.tif 000006
【図５】
2015125245.tif 000007
【図６】
2015125245.tif 000008
【図７Ａ】
2015125245.tif 000009
【図７Ｂ】
2015125245.tif 000010
【図８】
2015125245.tif 000011
【図９】
2015125245.tif 000012
【図１０】
2015125245.tif 000013
【図１１】
2015125245.tif 000014
【図１２】
2015125245.tif 000015
【図１３Ａ】
2015125245.tif 000016
【図１３Ｂ】
2015125245.tif 000017